(57)【要約】 【課題】天板を所定の角度にがた付き無く確実に保持できる折り畳み式テーブルを提供する。【解決手段】天板１と、天板１の左右に配置され、下端部に前後方向に延びる脚部４を設けた一対の脚フレーム３、３と、これら一対の脚フレームの上端部を一体的に連結すると共に、その水平部２ａに天板１を支持する天板フレーム２とを備え、天板１は、連結部５において天板フレーム２に連結されてその軸線回りに回動可能となされていると共に、連結部５は、天板１を複数段の回動角度に保持するロック機構を備えている。【選択図】図１
2008093274.tif 000002
【特許請求の範囲】
【請求項１】
天板と、当該天板の左右に配置され、下端部に前後方向に延びる脚部を設けた一対の脚フレームと、これら一対の脚フレームの上端部を一体的に連結すると共に、その水平部に前記天板を支持する天板フレームとを備え、前記天板は、連結部において前記天板フレームに連結されてその軸線回りに回動可能となされていると共に、前記連結部は、前記天板を複数段の回動角度に保持するロック機構を備えることを特徴とする折り畳み式テーブル。
【請求項２】
前記連結部のロック機構は、前記天板フレームに固定され、半円状の外周部に、前記天板の回動中心から放射状に延びる複数の凹溝を設けた固定板と、前記天板の下面に固定され、前記天板の回動動作と共に前記固定板の周方向に移動すると共に、ハンドル操作により後進して、その先端部が前記凹溝に嵌合または離脱するようになされた固定ネジを備えることを特徴とする請求項１に記載の折り畳み式テーブル。
【請求項３】
前記天板フレームと前記脚フレームの連結部分において、前記天板フレームの垂直部の複数箇所に凹部が、それぞれ所定の間隔を持って一直線状に設けられ、前記脚フレームに前記天板フレームが嵌入されて前記天板フレームの凹部と前記脚フレームとが外方より固定ネジにて締め付け・固定されることにより、前記天板の高さを複数段階の位置に保持できるようになされており、且つ、前記天板フレームの垂直部には、前記凹部と前記固定ネジとの位置合わせを行うマークが目視可能に設けられていることを特徴とする請求項１または請求項２の何れかに記載の折り畳み式テーブル。
【請求項４】
前記マークが刻印により形成されていることを特徴とする請求項３に記載の折り畳み式テーブル。
【請求項５】
前記一対の脚フレームは、それぞれ天板フレームの軸線回りに回動可能となされており、これにより、各脚フレームの脚部は、少なくとも互いに平行となる使用位置から、各脚部が重なり合う折畳位置までの間で変位可能であることを特徴とする請求項１から請求項４までの何れかに記載の折り畳み式テーブル。
【発明の詳細な説明】
【技術分野】
【０００１】
本発明は、脚体に支持された天板を水平姿勢位置から複数段階の傾きに調節・保持可能であり、且つ、収納、搬送などの際にコンパクトに折り畳むことができる折り畳み式テーブルに関するものである。
【背景技術】
【０００２】
この種の折り畳み式テーブルは、脚部に支持された天板の傾きを用途や目的に応じて調節可能として使い勝手を向上せると共に、使用しない時には、天板を起立させて平面方向に場所を取らない状態にできるものであり、天板を任意の作業姿勢や使用しない時の起立姿勢に保持するために、様々なロック機構を備えた折り畳み式テーブルが提案されている。
【０００３】
しかしながら、このような折り畳み式テーブルは、概してロック機構の構造が複雑であり、且つ、各傾斜角度における天板の安定性や姿勢保持強度が不十分であって、がた付きを生じ易く、また、角度調節の際の操作性が悪い等、改善すべき点が残されていた。
【０００４】
尚、折り畳み式テーブルの先行技術として、例えば、特許文献１が開示されている。
【特許文献１】特開２０００−１０６９５３号公報
【発明の開示】
【発明が解決しようとする課題】
【０００５】
本発明は、上記事情に鑑み成されたもので、天板を所定の姿勢にがた付き無く確実に保持でき、且つ、コンパクトに折り畳みできる使い勝手の良い折り畳み式テーブルを提供することを目的としている。
【課題を解決するための手段】
【０００６】
すなわち、請求項１に記載の折り畳み式テーブルは、天板と、当該天板の左右に配置され、下端部に前後方向に延びる脚部を設けた一対の脚フレームと、これら一対の脚フレームの上端部を一体的に連結すると共に、その水平部に前記天板を支持する天板フレームとを備え、前記天板は、連結部において前記天板フレームに連結されてその軸線回りに回動可能となされていると共に、前記連結部は、前記天板を複数段の回動角度に保持するロック機構を備えることを特徴としている。
【０００７】
また、請求項２に記載の発明は、請求項１に記載の折り畳み式テーブルにおいて、前記連結部のロック機構は、前記天板フレームに固定され、半円状の外周部に、前記天板の回動中心から放射状に延びる複数の凹溝を設けた固定板と、前記天板の下面に固定され、前記天板の回動動作と共に前記固定板の周方向に移動すると共に、ハンドル操作により後進して、その先端部が前記凹溝に嵌合または離脱するようになされた固定ネジを備えることを特徴としている。
【０００８】
また、請求項３に記載の発明は、請求項１または請求項２の何れかに記載の折り畳み式テーブルにおいて、前記天板フレームと前記脚フレームの連結部分において、前記天板フレームの垂直部の複数箇所に凹部が設けられ、前記脚フレームに前記天板フレームが嵌入されて前記天板フレームの凹部と前記脚フレームとが外方より固定ネジにて締め付け・固定されることにより、前記天板の高さを複数段階に保持できるようになされており、且つ、前記天板フレームの垂直部には、前記凹部と前記固定ネジとの位置合わせを行うマークが目視可能に設けられていることを特徴としている。
【０００９】
また、請求項４に記載の発明は、請求項３に記載の折り畳み式テーブルにおいて、前記マークが刻印により形成されていることを特徴としている。
【００１０】
また、請求項５に記載の発明は、請求項１から請求項４までの何れかに記載の折り畳み式テーブルにおいて、前記一対の脚フレームは、それぞれ天板フレームの軸線回りに回動可能となされており、これにより、各脚フレームの脚部は、少なくとも互いに平行となる使用位置から、各脚部が重なり合う折畳位置までの間で変位可能であることを特徴としている。
【発明の効果】
【００１１】
請求項１〜請求項５に記載の発明によれば、連結部にロック機構を設けて天板の傾きを複数の所定角度に保持できるようにしたので、テーブルの用途や目的に応じて天板の傾きを使用し易い角度に段階的に調整することができ、テーブルの使い勝手を向上できると共に、使用しない時は、ロックを解除して天板を起立姿勢にすることにより、平面的に場所を取らないようにできる。
【００１２】
また、請求項２に記載の発明によれば、天板フレームに固定された固定板の凹溝に固定ネジを係合させることにより、天板の回動動作をロックする構成としたので、天板をがた付き無く十分な強度で確実に保持することができ、よって、使用中の加重や振動等でロックが緩んだり外れたりして不用意に天板の姿勢が変わることはない。
また、天板の角度調節は、天板を回動して所望の角度に傾斜させた後、ハンドル操作にてロックすれば良く、よって、角度調節の操作は極めて簡単である。
【００１３】
また、請求項３に記載の発明によれば、天板フレームに位置合わせ用のマークを設けたので、天板の高さ調節の際に、天板フレームの凹部と固定ネジの先端部を正確に合わせることが可能となり、誤って、締め付け位置がずれていたり、凹部以外の部位を締め付けたりして、使用中の加重や振動でロックが緩んで天板ががた付くといった不都合を防止できる。
【００１４】
また、請求項４に記載の発明のように、上記マークを刻印により形成することにより、マークは半永久的に判読可能となる。
【００１５】
また、請求項５に記載の本発明によれば、テーブルを使用しない時は、上述のように天板を起立姿勢にすると共に、左右の脚部を重なり合うように変位することによりコンパクトに折り畳むことにより、運搬が容易となり、且つ、収納に場所を取らない。
【発明を実施するための最良の形態】
【００１６】
以下、図１〜図６に基づいて、本発明の折り畳み式テーブルの実施形態を説明する。
図１〜図４に示すように、本実施形態による折り畳み式テーブルは、合成樹脂で成るほぼ長方形の天板１と、この天板１の下面１ａを長手方向（横方向）に支持するコの字形の天板フレーム２と、この天板フレーム２の両端（垂直部２ｂ、２ｂ）に連結された一対の脚フレーム３、３とで構成されている。
この脚フレーム３の下端部には、前方（天板１の奥行き方向）に延びる細長の脚部４が設けられ、上記脚フレーム３は、この脚部４の奧側の端部より手前側に所定の傾斜角度（例えば、７０°前後）を持って起立するように設けられている。天板フレーム２、脚フレーム３、脚部４は金属製のパイプで構成されており、各脚部４の両端には合成樹脂製のプラパート６が装着されている。
【００１７】
天板１の下面１ａには、図３に示すように、中央より端寄りの２カ所に、相平行する一対の凹状リブ１６、１６が奥行き方向に一体に形成されており、この一対のリブ１６、１６の長手ほぼ中央部を横切るように上記天板フレーム２の水平部２ａが配置されていると共に、当水平部２ａが上記リブ１６、１６と交差する部位に連結部５が設けられ、この連結部５において天板１が、天板フレーム２に、その軸線回りに回動可能となるように連結されている。
また、連結部５にはロック機構が設けられ、天板１の回動動作において、天板１を水平姿勢から複数段の所定の回動角度に保持（ロック）できるようになっている。本実施形態では、天板１の調整角度は、水平姿勢を基準に±２０°前後となされている。
【００１８】
上記連結部５において、図６に示すように、天板フレーム２の水平部２ａの下半周部に半円形の外周を有する金属製の固定板７が上記水平部２ａの軸線方向と交差する向きに溶接等にて固着されており、この固定板７の外周に天板１の回動中心から放射状に延びる複数（７個）の凹溝８が、天板１の回動角度だけ隔てて設けられている。
【００１９】
固定板７は、水平部２ａに固着された状態で断面コ字形の半円形の固定具９に収容されている。この固定具９は、水平部２ａの軸線に対して上記固定板７と同心状となり、その周部内壁９ｃが固定板７の外周に沿って延びるように配設されており、その取付基部９ａがリブ１６を挟み込むように取り付けられ、ネジ２５にて天板１の下面１ａに固定されている。
【００２０】
固定具９の頂部に形成された凸部９ｂ内には、天板１の回動中心に向けてネジ部１１が設けられ、このネジ部１１に外方よりハンドル１２付きの固定ネジ１３が螺着されている。固定板７の凹溝８の底部と固定ネジ１３の先端部１３ａは直交するように位置決めされている。
そして、ハンドル１２の回動操作によって固定ネジ１３を後進させることにより、その先端部１３ａが固定板７の凹溝８に嵌合、または離脱するようになっている。
【００２１】
このように、本実施形態では、上記固定板７と、上記固定具９と、この固定具９に螺着された固定ネジ１３とによって上述のロック機構が構成されている。
すなわち、上記構成のロック機構では、ハンドル１２の回転操作により固定ネジ１３を前進して固定板７の凹溝８に固定ネジ１３の先端部１３ａを嵌合させることにより天板１の回動動作はロックされ、天板１は所定の角度に保持されると共に、ハンドル１２の逆回転操作により固定ネジ１３を後退して固定板７の凹溝８から固定ネジ１３の先端部１３ａを離脱させることにより天板１のロックが解除され、天板１は水平姿勢から起立姿勢までの間で回動自在となる。そしてこの時、固定ネジ１３の先端部１３ａは、固定板７の外周部より離隔した状態で天板１の回動動作と共に常に凹溝８と直交するように固定板７の周方向に沿って移動する。
【００２２】
また、天板フレーム２の垂直部２ｂには、ロック用の凹部１５がそれぞれ所定の間隔を持って縦方向に複数個、一直線状に設けられていると共に、図１中の要部拡大に示すように、当垂直部２ｂが挿嵌される脚フレーム３の上端部に挿通孔１７が形成され、この挿通孔１７と直角にネジ部１９（ナット）が突設されている。
尚、上記凹部１５と挿通孔１７のフレーム周方向の位置は一致しており、且つ、図１に示すように、これらがテーブルの正面側に向く位置に設けられている。
【００２３】
また、脚フレーム３の上端開口部には、上記挿通孔１７を覆う筒状のアジャスタキャップ１８が装着されており、アジャスタキャップ１８の孔２０を通して外方より上記脚フレーム３のネジ部１９にハンドル２１付きの固定ネジ２２が螺着されている。
そして、ハンドル２１の回転操作により固定ネジ２２を挿通孔１７を通して前進させ、その先端部２２ａで垂直部２ｂの凹部１５の中央部分を締め付けることにより、天板１が所定の高さに保持（ロック）されると共に、ハンドル２１の逆回転操作により固定ネジ２２を後退させて凹部１５の締め付けを解除すれば、垂直部２ｂと脚フレーム３の連結はフリーな状態となり、脚フレーム３は、天板フレーム２の垂直部２ｂに対して上下摺動自在、且つ、垂直部２ｂの軸線りに回動自在となる。脚フレーム３を回動させることにより、その下端部の各脚部４を重なり合う状態に折り畳むことができる。
【００２４】
また、天板フレーム２の垂直部２ｂにおいて、各凹部１５の上部近傍にはそれぞれ横筋状のマーク２３が刻印されており、当マーク２３をアジャスタキャップ１８の上端縁に合わせると、そのやや下方に位置する固定ネジ２２の先端部２２ａが、このマーク２３に対応する凹部１５のぼぼ中心部に位置するようになされている。このマーク２３を印刷やシール等でなく刻印により形成することにより、マーク２３は半永久的に判読可能となる。
【００２５】
以上、本実施形態の折り畳み式テーブルでは、天板１と天板フレーム２の連結部５にロック機構を設けて天板１の傾きを水平姿勢から複数段の回動角度に設定・保持できるようにしたので、テーブルの用途や目的に応じて天板１の傾きを使用し易い角度に段階的に調整することができ、テーブルの使い勝手を向上できると共に、使用しない時は、図５に示すように、ロックを解除して天板１を起立姿勢に回動することにより、平面的に場所を取らないようにできる。
【００２６】
また、天板フレーム２に固定された固定板７の凹溝８に固定ネジ１３を係合させることで天板１の回動動作をロックする構成としたので、天板１をがた付き無く十分な強度で確実に保持することができ、テーブル使用中の加重や振動等でロックが緩んだり外れたりして不用意に天板１の姿勢が変わるといった不都合を無くすことができる。
加えて、天板１の角度調節は、先ず、ハンドル１２の操作で天板１のロックを解除し、この状態で天板１を回動して所望の傾斜角度に設定した後、ハンドル操作にてロックすれば良く、且つ、この操作は、テーブルの前側より行うため、操作性は良い。
【００２７】
また、天板フレーム２に位置合わせ用のマーク２３を設けたので、天板１の高さ調節の際に、天板フレーム２（垂直部２ｂ）の凹部１５と固定ネジ２２の先端部２２ａを正確に合わせることが可能となり、誤って、締め付け位置がずれていたり、凹部１５以外の部位を締め付けたりして、使用中の加重や振動でロックが緩んで天板１ががた付くといった不都合を防止できる。
【００２８】
さらには、テーブルを使用しない時は、図５に示すように、天板１を起立姿勢にし、左右の脚部が重なり合うように変位してコンパクトに折り畳むことにより、テーブルの運搬が容易となると共に、収納に場所を取らないため狭い場所等に立て掛けておくことができる。
【図面の簡単な説明】
【００２９】
【図１】本発明に係る折り畳み式テーブルの正面図。
【図２】同、折り畳み式テーブルの側面図。
【図３】同、折り畳み式テーブルの裏面図。
【図４】同、折り畳み式テーブルの外観斜視図。
【図５】同、折り畳み式テーブルが畳まれた状態を示す側面図。
【図６】天板の角度調整機構を示す要部断面図。
【符号の説明】
【００３０】
１  天板
２  天板フレーム
２ａ  水平部
２ｂ  垂直部
３  脚フレーム
４  脚部
５  連結部
７  固定板
８  凹溝
１２、２１  ハンドル
１３、２２  固定ネジ
１５  凹部
２３  マーク
【図１】
2008093274.tif 000003
【図２】
2008093274.tif 000004
【図３】
2008093274.tif 000005
【図４】
2008093274.tif 000006
【図５】
2008093274.tif 000007
【図６】
2008093274.tif 000008